(57)【要約】【課題】  取付ベースに取り付けたときに、圧空成形品の装飾面である前面部にボルトの頭部が見えないようにすると共に、圧空成形品を任意の最適な位置において連結することができるようにし、更に圧空成形品の立体形状への成形に際して形状に制約を受けることがないようにする。【解決手段】  圧空成形品における背面側に屈曲した外周縁部の所望の位置に、後記連結ブロックの小突起の貫挿孔を穿設する工程と、方形の基台の上面にナット部を形成すると共に下面に複数の小突起を形成した連結ブロックを、その小突起を圧空成形品の前記貫挿孔に貫挿した後、該小突起の該貫挿孔からの抜脱防止処理を施し、圧空成形品の外周縁部に固定する工程と、圧空成形品の背面側に取付ベースを当てがい、該取付ベースに穿設したボルト貫挿孔にボルトを挿通し、該ボルトを前記連結ブロックのナット部に螺合する工程とからなる。【選択図】  図４
2018146094.tif 000002
【特許請求の範囲】
【請求項１】
以下ａ．〜ｃ．の工程からなることを特徴とする圧空成形品の取付ベースへの取り付け方法。
ａ．圧空成形品における背面側に屈曲した外周縁部の所望の位置に、後記連結ブロックの小突起の貫挿孔を穿設する工程。
ｂ．方形の基台の上面にナット部を形成すると共に下面に複数の小突起を形成した連結ブロックを、その小突起を圧空成形品の前記貫挿孔に貫挿した後、該小突起の該貫挿孔からの抜脱防止処理を施し、圧空成形品の外周縁部に固定する行程。
ｃ．圧空成形品の背面側に取付ベースを当てがい、該取付ベースに穿設したボルト貫挿孔にボルトを挿通し、該ボルトを前記連結ブロックのナット部に螺合する工程。
【請求項２】
連結ブロックが、樹脂からなる連結ブロックである請求項１記載の圧空成形品の取付ベースへの取り付け方法。
【請求項３】
連結ブロックのナット部が、基台の上面に一体成形された円筒部に金属製ナット部材を嵌合して形成してなるナット部である請求項２記載の圧空成形品の取付ベースへの取り付け方法。
【請求項４】
連結ブロックのナット部が、基台の上面に一体成形された円柱部に直接雌ネジを刻設することによって形成したナット部である請求項２記載の圧空成形品の取付ベースへの取り付け方法。
【請求項５】
連結ブロックの小突起の圧空成形品の貫挿孔からの抜脱防止処理が、小突起の先端を下部からの加圧と加熱によって潰して拡げる手段によって行うものである請求項２、３又は４記載の圧空成形品の取付ベースへの取り付け方法。
【請求項６】
連結ブロックの小突起の圧空成形品の貫挿孔からの抜脱防止処理が、加熱溶融によって溶着する手段によって行うものである請求項２、３又は４記載の圧空成形品の取付ベースへの取り付け方法。
【請求項７】
連結ブロックの小突起の圧空成形品の貫挿孔からの抜脱防止処理が、接着剤を用いて接着する手段によって行うものである請求項２、３又は４記載の圧空成形品の取付ベースへの取り付け方法。
【請求項８】
連結ブロックの小突起の圧空成形品の貫挿孔からの抜脱防止処理が、小突起の先端に、該小突起よりも大径の半球状の膨大部を形成する一方、所定の厚み及び広さを有するロックプレートの該小突起と一致する部位に、該小突起と略同径の小突起貫挿孔を穿設し、該ロックプレートを押し付けて連結ブロックの小突起の膨大部を該小突起貫挿孔に潜り抜けさせ、該膨大部を該小突起貫挿孔に掛け止めてロックする手段によって行うものである請求項２、３又は４記載の圧空成形品の取付ベースへの取り付け方法。
【発明の詳細な説明】
【技術分野】
【０００１】
本発明は圧空成形品の取付ベースへの取り付け方法に関するものである。
【背景技術】
【０００２】
色彩を有する図柄等を表面に印刷した薄い樹脂シートを圧空成形して立体形状に仕上げた圧空成形品は、これの背面側を取付ベースに取り付けて視覚効果の高い装飾体とするものである。
【０００３】
そして、従来における圧空成形品の取付ベースへの取り付け方法は、図１１に示す如く、取付ベース１００の垂直壁１００ａの背面側における所要の位置に、垂直壁１００ａに対して直角にナット部１０１を一体的に形成する一方、圧空成形品１０２の前面部１０２ａにおける前記取付ベース１００のナット部１０１と同一の位置にボルト貫挿孔１０３を穿設し、前記圧空成形品１０２の前面側からボルト貫挿孔１０３に挿通したボルト１０４を、前記取付ベース１００のナット部１０１に螺合させ、もって圧空成形品を取付ベースに取り付けるものである。
【０００４】
しかし、斯かる方法による場合には、圧空成形品を取付ベースに取り付けてこれらを一体化したときに、圧空成形品１０２の装飾面である前面部にボルト１０４の頭部がはっきりと見えてしまうことになる。そして、この結果見栄えが悪くなり、装飾体としての効果がマイナスされるという問題点がある。
【０００５】
また、取付ベース１００のナット部１０１は、取付ベース１００を金型で成形する際に設ける位置が決まっており、したがって、圧空成形品１０２を取付ベース１００に取り付けるときにおいて位置が限定され、最適な位置において連結することができないという問題点もある。また、更に連結する位置が決まっていることから、圧空成形品を立体形状に成形する際において圧空成形品の形状に制約を受けるという問題点もある。
【発明の概要】
【発明が解決しようとする課題】
【０００６】
本発明は上記の点に鑑みなされたものであって、圧空成形品を取付ベースに取り付けてこれらを一体化したときに、従来の如く圧空成形品の装飾面である前面部にボルトの頭部が見えず、もって装飾体としての効果を高めることができると共に、圧空成形品を取付ベースに取り付けるときにおいて任意の最適な位置において連結することができるようになし、更に圧空成形品を立体形状に成形する際において圧空成形品の形状に制約を受けることが無いようになした圧空成形品の取付ベースへの取り付け方法を提供しようとするものである。
【課題を解決するための手段】
【０００７】
而して、本発明の要旨とするところは、以下のａ．〜ｃ．の工程からなることを特徴とする圧空成形品の取付ベースへの取り付け方法にある。
ａ．圧空成形品における背面側に屈曲した外周縁部の所望の位置に、後記連結ブロックの小突起の貫挿孔を穿設する工程。
ｂ．方形の基台の上面にナット部を形成すると共に下面に複数の小突起を形成した連結ブロックを、その小突起を圧空成形品の前記貫挿孔に貫挿した後、該小突起の該貫挿孔からの抜脱防止処理を施し、圧空成形品の外周縁部に固定する行程。
ｃ．圧空成形品の背面側に取付ベースを当てがい、該取付ベースに穿設したボルト貫挿孔にボルトを挿通し、該ボルトを前記連結ブロックのナット部に螺合する工程。
【０００８】
また、上記方法において、連結ブロックを、樹脂からなる連結ブロックとしてもよい。
【０００９】
また、上記方法において、連結ブロックのナット部を、基台の上面に一体成形された円筒部に金属製ナット部材を嵌合して形成してなるナット部としてもよい。尚、ナット部は、この他連結ブロックの基台の上面に一体成形された円柱部に直接雌ネジを刻設することによって形成するようにしてもよい。
【００１０】
また、上記方法において、連結ブロックの小突起の圧空成形品の貫挿孔からの抜脱防止処理は、小突起の先端を下部からの加圧と加熱によって潰して拡げるか、加熱溶融によって溶着するか、接着剤を用いて接着するか、或いは小突起の先端に、該小突起よりも大径の半球状の膨大部を形成する一方、所定の厚み及び広さを有するロックプレートの該小突起と一致する部位に、該小突起と略同径の小突起貫挿孔を穿設し、該ロックプレートを押し付けて連結ブロックの小突起の膨大部を該小突起貫挿孔に潜り抜けさせ、該膨大部を該小突起貫挿孔に掛け止めてロックする手段のいずれかによって行うことが好ましい。尚、前記小突起の先端を下部からの加圧と加熱によって潰して拡げる場合においては、所定の厚み及び広さを有するスペーサーＳを介在させて行うようにしてもよい。
【発明の効果】
【００１１】
本発明は上記の如き構成であり、連結ブロックを、圧空成形品における背面側に屈曲した外周縁部、即ち圧空成形品における前面側から見えない部分に固定し、そして、該連結ブロックのナット部に、取付ベースに穿設したボルト貫挿孔に該取付ベースの背面側から挿通するボルトを螺合することによって連結するものである。したがって、圧空成形品を取付ベースに取り付けてこれらを一体化したときに、従来の如く圧空成形品の装飾面である前面部にボルトの頭部が見えず、もって装飾体としての効果を高めることができるものである。
【００１２】
また、圧空成形品を成形した後において、圧空成形品における背面側に屈曲した外周縁部のどこの位置にでも選択的に自由に連結ブロックを固定することができるから、圧空成形品を取付ベースに取り付けるときにおいて任意の最適な位置において連結することができるものである。更にまた、連結位置が決まっていないから、圧空成形品を立体形状に成形する際において圧空成形品の形状に制約を受けることがないものである。
【図面の簡単な説明】
【００１３】
【図１】圧空成形品を取付ベースに取り付けて完成した装飾体の斜視図である。
【図２】本発明において用いる連結ブロックとボルトの斜視図である。
【図３】本発明の工程説明図であり、圧空成形品に連結ブロックの小突起の貫挿孔を穿設した状態を示すものである。
【図４】本発明の工程説明図であり、連結ブロックを固定した状態を示すものである。
【図５】本発明の工程説明図であり、圧空成形品の背面に取付ベースを当てがい、ボルト貫挿孔にボルトを挿通する状態を示すものである。
【図６】本発明の工程説明図であり、連結ブロックのナット部にボルトを螺合した状態を示すものである。
【図７】図６に示す状態の連結ブロックとボルト部分の縦断面図である。
【図８】連結ブロックの小突起の圧空成形品の貫挿孔からの抜脱防止処理における小突起の先端を潰して拡げる場合の例の変形例を示すものであり、下方側から看た斜視図である。とボルト部分の縦断面図である。
【図９】連結ブロックの小突起の圧空成形品の貫挿孔からの抜脱防止処理の他の例の説明図であり、下方側から看た斜視図である。
【図１０】図８に示した例の部分拡大縦断面図である。
【図１１】従来の圧空成形品の取付ベースへの取り付け方法の説明図である。
【発明を実施するための形態】
【００１４】
以下、本発明を実施するための形態について、図面を参照して説明する。
【００１５】
図中、１は圧空成形品２を取付ベース３に取り付けて形成した装飾体である。尚、該圧空成形品２は、色彩を有する図柄等を表面に印刷した薄い樹脂シートを圧空成形して立体形状に仕上げたものである。また、取付ベース３は樹脂からなり、金型によって所定の形状に成形したものである。
【００１６】
４は樹脂からなる連結ブロックであり、方形の基台５の上面にナット部６を形成すると共に下面に複数（本実施形態においては４個）の小突起７、７を形成してなるものである。
【００１７】
また、該連結ブロック４のナット部６は、本実施形態においては、基台５の上面に一体成形された円筒部６ａに金属製ナット部材６ｂを嵌合して形成している。尚、図示はしないが、ナット部６は、連結ブロック４の基台５の上面に一体成形された円柱部に直接雌ネジを刻設することによって形成してもよい。
【００１８】
８は前記連結ブロック４のナット部６に螺合するボルト、９は座金である。
【００１９】
而して、本発明は、以下の工程からなることを特徴とするものである。
先ず、図３に示す如く、圧空成形品２における背面側に屈曲した外周縁部２ａの所望の位置に、後記連結ブロックの小突起の貫挿孔１０、１０を穿設する。
【００２０】
次に、図４に示す如く、前記連結ブロック４を、その小突起７、７を圧空成形品２の前記貫挿孔１０、１０に貫挿し、そしてこの状態において該小突起７、７の該貫挿孔１０、１０からの抜脱防止処理を施すものである。また、該抜脱防止処理として、本実施形態においては、小突起７、７の先端を下部からの加圧と加熱（図示せず。）によって潰して拡げる手段を採用している。また、斯かる場合において、図８に示す如く、所定の厚み及び広さを有するスペーサーＳを介在させて行うようにしてもよい。これにより安定性を増すことができる。また、本実施形態に限らず加熱溶融によって溶着したり、接着剤を用いて接着するようにしたり、或いは図９及び図１０に示す如く、小突起７、７の先端に、該小突起７、７よりも大径の半球状の膨大部７ａを形成する一方、所定の厚み及び広さを有するロックプレート１２の該小突起７、７と一致する部位に、該小突起７、７と略同径の小突起貫挿孔１３を穿設し、該ロックプレート１２を押し付けて連結ブロック４の小突起７、７の膨大部７ａを該小突起貫挿孔１３に潜り抜けさせ、該膨大部７ａを該小突起貫挿孔１３に掛け止めてロックする手段を採用するようにしてもよい。これによって連結ブロック４は圧空成形品２の外周縁部２ａの所望の位置に固定される。
【００２１】
次に、図５に示す如く、圧空成形品２の背面側に取付ベース３の垂直壁３ａを当てがい、該取付ベース３の垂直壁３ａに穿設したボルト貫挿孔１１に前記ボルト８を挿通し、最後に図６及び図７に示す如く、該ボルト８を前記連結ブロック４のナット部６に螺合するものである。
【００２２】
上記本発明の実施形態によれば、連結ブロック４を、圧空成形品２における背面側に屈曲した外周縁部２ａ、即ち、圧空成形品２における前面側から見えない部分に固定し、そして、該連結ブロック４に、取付ベース３に穿設したボルト貫挿孔１１に該取付ベース３の背面側から挿通するボルト８を螺合することによって連結するものである。したがって、圧空成形品２を取付ベース３に取り付けてこれらを一体化したときに、従来の如く圧空成形品の装飾面である前面部にボルトの頭部が見えず、もって装飾体としての効果を高めることができるものである。
【００２３】
また、圧空成形品２を成形した後において、圧空成形品２における背面側に屈曲した外周縁部２ａのどこの位置にでも選択的に自由に連結ブロック４を固定することができるから、圧空成形品２を取付ベース３に取り付けるときにおいて最適な位置において連結することができるものである。更にまた、連結位置が決まっていないから、圧空成形品を立体形状に成形する際において圧空成形品の形状に制約を受けることがないものである。
【符号の説明】
【００２４】
１  装飾体
２  圧空成形品
２ａ  圧空成形品の外周縁部
３  取付ベース
４  連結ブロック
５  基台
６  ナット部
６ａ  円筒部
６ｂ  金属製ナット部材
７、７  小突起
８  ボルト
９  座金
１０、１０  連結ブロックの小突起の貫挿孔
１１  ボルト貫挿孔
【図１】
2018146094.tif 000003
【図２】
2018146094.tif 000004
【図３】
2018146094.tif 000005
【図４】
2018146094.tif 000006
【図５】
2018146094.tif 000007
【図６】
2018146094.tif 000008
【図７】
2018146094.tif 000009
【図８】
2018146094.tif 000010
【図９】
2018146094.tif 000011
【図１０】
2018146094.tif 000012
【図１１】
2018146094.tif 000013